(57)【要約】【課題】床面のリフォーム等する際、既設の幅木を取り外すことなく既設幅木の外表面に装着することによって、簡単な構成で作業性よく既設の幅木をリフォームすることのできるリフォーム用幅木材を提供することである。【解決手段】既設幅木３の外表面に装着されるリフォーム用幅木材Ａであって、幅木本体１の床面側下端部に床面弾接用の弾性変形部１１を該幅木本体１の長手方向全長に亘って形成するととともに、上記幅木本体１の既設幅木３への装着当接面１ａに該幅木本体１の長手方向に沿って複数本の切断用目印線１２を間隔をおいて平行に刻設されたことを特徴とする。さらに、横断面が略Ｌ字形で長辺２１と短辺２２とからなる幅木カバー体２で該幅木本体１および既設幅木３のそれぞれの頂部１３、３１を施蓋してリフォーム用幅木材Ｂとして用いることもできる。【選択図】図３
2013044141.tif 000002
【特許請求の範囲】
【請求項１】
既設幅木の外表面に装着されるリフォーム用幅木材であって、幅木本体の床面側下端部に床面弾接用の弾性変形部を該幅木本体の長手方向全長に亘って形成するととともに、上記幅木本体の既設幅木への装着当接面に該幅木本体の長手方向に沿って複数本の切断用目印線を平行に間隔をおいて刻設してなるリフォーム用幅木材。
【請求項２】
既設幅木の外表面に装着されるリフォーム用幅木材であって、幅木本体の床面側下端部に床面弾接用の弾性変形部を該幅木本体の長手方向全長に亘って形成するととともに、上記幅木本体の既設幅木への装着当接面に該幅木本体の長手方向に沿って複数本の切断用目印線が間隔をおいて平行に刻設された幅木本体と、長手方向に直交する横断面が略Ｌ字形の幅木カバー体とからなり、該幅木カバー体は長辺と短辺とからなる略Ｌ字形で構成し、上記幅木本体が既設幅木に装着されたとき、該幅木本体および既設幅木のそれぞれの頂部を上記幅木カバー体で施蓋してなるリフォーム用幅木材。
【発明の詳細な説明】
【技術分野】
【０００１】
本願発明は幅木材に関する。さらに詳しくは、壁面と床面との取り合い部の壁面の下端部を覆うように見切り施工された既存の幅木の外表面に装着するリフォーム用幅木材に関するものである。
【背景技術】
【０００２】
部屋や廊下等、室内の床をリフォームしたとき、通常、床面と壁面との見切りに使用される幅木もまたリフォームされることが多い。このとき、既設の床材を剥がして新しい床材を貼着する方式や既設の床材の上に新設の床材を貼り増しする方式においても、既設の幅木の処理が必要となる。
【０００３】
上記既設幅木は、通常、釘と接着剤により強固に壁側に取り付けられているため、上記幅木の取り外しは繁雑な手間を要するものであり、既設幅木を取り外す際に壁を傷つけてしまうことも少なくなく、こうした場合にはさらに壁材の貼り替えを必要とすることとなる。そこで、上記した床面のリフォーム時の幅木の処理を容易にするために種々の技術が提案されている。
【０００４】
例えば、特開２００３−２２７２３０号公報には、既設幅木の前面および上端面を覆って備え付けられるリフォーム用幅木材であって、既設幅木の前面への添装面部を備えるとともに、下端面を既設フロア上に貼り込まれる新設の床材により形成される新設フロア面に対する突き当て面部とした下部幅木構成体と、既設幅木の前面および上端面への添装面部を備えた上部幅木構成体とを有しており、下部幅木構成体は、その前面部に、上方に向いた段差面を有するとともに、上部幅木構成体は、その背面部に、下方に向いた段差面を有しており、下部幅木構成体の段差面に上部幅木構成体の下端面が突き当てられる位置をこの上部幅木構成体の設置下限として、この下部幅木構成体の段差面より上方にある前面に上部幅木構成体の段差面より下方にある背面を添装させた状態で備え付けられることを特徴とするリフォーム用幅木材が提案されている。
【０００５】
そして、上記の構成を有するリフォーム用幅木材を用いることにより、新設フロア面と既設幅木の上端面との間の寸法に合わせて、下部幅木構成体の突き当て面部と上部幅木構成体における既設幅木の上端面への添装面部との間の間隔を調整することができ、単一のリフォーム用幅木材によって新設フロア面と既設幅木の上端面との間の寸法を異ならせる種々の状況に対応して、この既設幅木の前面および上端面をそれぞれ適切にこのリフォーム用幅木材によって覆うことができると、その効果が述べられている。
【０００６】
さらに上記リフォームにおいて、既設幅木を取り外す必要がなく、また、こうした取り外しによって壁面を傷めることもないので、壁紙の貼り替えなどの施工手間を生じさせることがないとの効果も記載されている。
【先行技術文献】
【特許文献】
【０００７】
【特許文献１】特開２００３−２２７２３０号公報
【発明の概要】
【発明が解決しようとする課題】
【０００８】
しかしながら、上記特開２００３−２２７２３０号公報に記載のリフォーム用幅木材においては、その図１に示されているように、下部幅木構成体と上部幅木構成体とからなり、下部幅木構成体の前面部には上方に向いた段差面を設け、かつ上部幅木構成体の背面部に下方に向いた段差面を有する等、構造が複雑であり、新設フロア面と既設幅木との取り合い部分を隠すためには、下部幅木構成体と上部幅木構成体とを高い精度で加工する必要がある。
【０００９】
本願発明はこのような状況に鑑みてなされたものであり、床面をリフォームする際、既設の幅木を取り外すことなく既設幅木の外表面に装着することによって、簡単な構成で作業性よく既設の幅木を処理することのできるリフォーム用幅木材を提供することである。
【課題を解決するための手段】
【００１０】
上記課題を解決するために、本願請求項１に記載の第１発明に係るリフォーム用幅木材は、既設幅木の外表面に装着されるリフォーム用幅木材であって、幅木本体の床面側下端部に床面弾接用の弾性変形部を該幅木本体の長手方向全長に亘って形成するととともに、上記幅木本体の既設幅木への装着当接面に該幅木本体の長手方向に沿って複数本の切断用目印線を平行に間隔をおいて刻設したことを特徴とする。
【００１１】
本願請求項２に記載の第２発明に係るリフォーム用幅木材は、既設幅木の外表面に装着されるリフォーム用幅木材であって、幅木本体の床面側下端部に床面弾接用の弾性変形部を該幅木本体の長手方向全長に亘って形成するととともに、上記幅木本体の既設幅木への装着当接面に該幅木本体の長手方向に沿って複数本の切断用目印線が間隔をおいて平行に刻設された幅木本体と、長手方向に直交する横断面が略Ｌ字形の幅木カバー体とからなり、該幅木カバー体は長辺と短辺とからなる略Ｌ字形で構成し、上記幅木本体が既設幅木に装着されたとき、該幅木本体および既設幅木のそれぞれの頂部を上記幅木カバー体で施蓋することを特徴とする。
【発明の効果】
【００１２】
本願請求項１記載の第１発明に係るリフォーム用幅木材においては、既設幅木への該幅木材の装着当接面にこの幅木本体の長手方向に沿って複数本の切断用目印線が間隔をおいて平行に刻設されているため、既設幅木の高さに合わせて最適な切断用目印線を選んでその切れ目に沿って切断できる。このようにして既設幅木の高さに合わせてリフォーム用幅木材の幅木本体の高さを容易に調節することができる。
【００１３】
また、幅木本体の床面側の下端部には弾性変形部が幅木本体の長手方向全長に亘って形成されているため、幅木本体を切断した後、弾性変形部の弾接変形度を調整することによって、既設床面と幅木本体との間を微調整し、その間に隙間を生じさせることなく既設幅木の頂部と幅木本体の頂部とを合わせて簡単に同一高さにすることができる。さらに、上記弾性変形部は床面の凹凸等の不陸を吸収して隙間が生じることを防ぐ効果も発揮する。
【００１４】
本願請求項２記載の第２発明に係るリフォーム用幅木材においては、上記請求項１に記載の発明の効果を有するとともに、長辺と短辺とからなる横断面略Ｌ字形に構成した幅木カバー体で幅木本体および既設幅木のそれぞれの頂部を施蓋することにより、既設幅木と幅木本体との上面接合部や凹凸面を目隠し、体裁よく既存幅木の外表面にリフォーム用幅木材を装着することができる。
【００１５】
ここで、施工現場によって既設幅木の幅が異なるとき、例えば、既設幅木の幅が７ｍｍ幅と９ｍｍ幅の場合、幅木カバー体の長辺と短辺との水平位置の配設方向を替えるのみで、２種類の既設幅木に対応することができる。
【図面の簡単な説明】
【００１６】
【図１】本願第１発明の実施形態に係るリフォーム用幅木材の構成を模式的に示す横断面説明図。
【図２】本願第２発明の実施形態に係るリフォーム用幅木材の構成を模式的に示す横断面説明図。
【図３】（ａ）は本願第２発明に係るリフォーム用幅木材を既存幅木の外表面に装着した状態を模式的に示す横断面説明図、（ｂ）は本願第２発明に係るリフォーム用幅木材を幅の異なる既存幅木の外表面に装着した状態を模式的に示す横断面説明図。
【図４】既設床面の上に新設の床材を貼り込み、その後に本願第２発明に係るリフォーム用幅木材を装着した状態を模式的に示す横断面説明図。
【発明を実施するための形態】
【００１７】
以下、本願発明に係るリフォーム用幅木材の実施形態を、図面を参照して詳細に説明する。図１は、本願第１発明の実施形態にかかるリフォーム用幅木材Ａの構成を模式的に示す横断面説明図である。
【００１８】
図１に示すように、上記リフォーム用幅木材Ａの幅木本体１は壁面Ｗと既設床面ＦＬとの取り合い部に施工された、点線で示す既存幅木３の外表面に装着される。また、上記幅木本体１の床面側の下端部には弾性変形部１１が幅木本体１の長手方向全長に亘って形成され、幅木本体１の既設幅木３への装着当接面１ａには幅木本体１の長手方向に沿って３本の切断用目印線１２が間隔をおいて平行に刻設されている。
【００１９】
上記切断用目印線１２は当該実施形態においてはＶ字形溝の切れ目であり該切れ目に沿って切断が可能であり、既設幅木３の高さに合わせて最適な切断用目印線１２を選択して切断できる。このようにすることによって既設幅木３の高さに合わせてリフォーム用幅木材Ａの幅木本体１の高さｈを容易に調節することができる。
【００２０】
通常、上記既設幅木３の高さは５０〜７０ｍｍの範囲で設けられることが多いため、図１に示す幅木本体１の高さｈを７０ｍｍとすることにより、また、既設幅木３の高さが７０ｍｍに満たないときは上記した切断用目印線１２の一つを選択して最適な高さとなるように切断する。
【００２１】
そして、幅木本体１の床面側の下端部には弾性変形部１１が幅木本体１の長手方向全長に亘って形成されているため、選択された切断用目印線１２に沿って切断した後、該幅木本体１を上下に移動して弾性変形部１１の弾接変形度を調整することによって、図１に示す既設床面ＦＬと幅木本体１との間に隙間が生じないよう既設幅木３の頂部と幅木本体１の頂部とを容易に同一高さにすることができる。
【００２２】
上記弾性変形部１１は幅木本体１をゴム、弾性プラスチック、発泡プラスチック等の弾性材から形成してその下端部をＵ字形に成形してもよい。また、幅木本体１を木質系素材、例えば合板等から形成し弾性変形部１１を例えばＵ字形に成形して両者を接着等の手段によって複合一体化させてもよい。
【００２３】
図２は、本願第２発明の実施形態に係るリフォーム用幅木材Ｂの構成を模式的に示す横断面説明図である。図２に示すように、上記リフォーム用幅木材Ｂは、前記した図１に示す幅木本体１と、長手方向に直交する横断面が略Ｌ字形の幅木カバー体２とからなり、この幅木カバー体２は長辺２１と短辺２２とからなる略Ｌ字形に構成されている。
【００２４】
図２に示すように、上記幅木カバー体２の長辺２１は幅木本体１の頂部１３と既設幅木３の頂部３１とを施蓋するように覆うとともに、短辺２２は幅木本体１の上部に垂下するエプロン部を形成し、幅木カバー体２は全体としてリフォーム用幅木材Ｂの見切り部を構成する。このように、上記幅木カバー体２で幅木本体１の頂部１３と既設幅木３の頂部３１とを覆うことにより、既設幅木３と幅木本体１との上面接合部や凹凸面を目隠し、体裁よく既存幅木３の外表面に幅木本体１を装着することができる。
【００２５】
図３（ａ）、図３（ｂ）は、既存幅木３の外表面に上記した第２発明に係るリフォーム用幅木材Ｂを装着した状態を模式的に示す横断面説明図である。その装着手順は、既存幅木３の高さに合わせて幅木本体１に刻設された切断用目印線１２の選択された目印線に沿って切断した後、幅木本体１の裏面である既設幅木３への装着当接面１ａに一液性エポキシ変性弾性接着剤等の接着剤を塗布し、接着するというものである。
【００２６】
当該実施形態では、幅木カバー体２の短辺２２の外側寸法は９ｍｍ、長辺２１の外側寸法は１１ｍｍ、幅木カバー体２の厚さｔ３を１ｍｍとしている。
【００２７】
図３（ａ）に示す如く、既存幅木３の厚さｔ１が７ｍｍ、幅木本体１の厚さｔ２が１ｍｍのときは、幅木カバー体２の短辺２２が既存幅木３の頂部３１と幅木本体１との頂部１３を施蓋するよう該幅木カバー体２を装着することによって、幅木本体１の頂部１３と既設幅木３の頂部３１とを壁面Ｗに納まりよく仕舞うことができる。
【００２８】
また、図３（ｂ）に示す如く、既存幅木３の厚さｔ１が９ｍｍ、幅木本体１の厚さｔ２が１ｍｍであるときは、幅木カバー体２の長辺２１が既存幅木３の頂部３１と幅木本体１との頂部１３を施蓋するよう該幅木カバー体２を装着することによって、幅木本体１の頂部１３と既設幅木３の頂部３１とを壁面Ｗに納まりよく仕舞うことができる。
【００２９】
このようにして、ひとつの部品である幅木カバー体２の長辺２１と短辺２２の水平位置の配設方向を替えるのみで幅の異なる２種類の既設幅木３に対応することができる。
【００３０】
図４は、既設床面ＦＬの上に新設床材４を貼り込み、その後に本願第２発明に係るリフォーム用幅木材Ｂを装着した状態を模式的に示す横断面説明図である。図４に示すように、新設床材４の厚さ分、床面が貼り増しされているため、幅木本体１の高さを上記厚さ分だけ減じるように切断用目印線１２を選んで切断する。
【００３１】
このとき、弾性変形部１１も弾接変形するため、幅木本体１の装着高さの微調整を行うことが可能であり、また、弾性変形部１１が新設床材４の不陸を吸収して新しい床面を幅木本体１の下端に納まりよく仕舞うことができる。
【００３２】
なお、上記第１、第２発明の実施形態においては幅木本体１の裏面の長手方向に沿って切断用目印線１２が３本刻設された場合について述べたが、３本に限られず例えば、５本設けてもよい。さらに、必ずしも切断用目印線１２に沿って切断する必要はなく、単に目印として用いて切断用目印線１２近傍を切断してもよい。このように本願発明は設計変更自在であり、特許請求の範囲を逸脱しない限り、本願発明の技術的範囲に含まれる。
【符号の説明】
【００３３】
Ａ      本願第１発明の実施形態に係るリフォーム用幅木材
Ｂ      本願第２発明の実施形態に係るリフォーム用幅木材
ｔ１    既存幅木の厚さ
ｔ２    幅木本体の厚さ
ｔ３    幅木カバー体の厚さ
ｈ      幅木本体の高さ
ＦＬ    既設床面
Ｗ      壁面
１      幅木本体
１１    弾性変形部
１２    切断用目印線
１３    頂部
１ａ    装着当接面
２      幅木カバー体
２１    長辺
２２    短辺
３      既設幅木
３１    頂部
４      新設床材
【図１】
2013044141.tif 000003
【図２】
2013044141.tif 000004
【図３】
2013044141.tif 000005
【図４】
2013044141.tif 000006